(57)【要約】【課題】  作業性を改善するために回転ドラムを水槽内に傾斜した場合に、洗濯後の泡水が逆流して排水不良を発生させることを抑制したドラム式洗濯機を提供する。【解決手段】  回転ドラム２を内包する水槽３の下部に回転ドラム２の軸心方向に排水溝１０が形成され、排水溝１０は下向き傾斜の深さが段階的に増加するように段差が形成され、排水溝１０の軸心方向端部は排水口３６に直結されている。段差により泡水の逆流は抑えられ、泡水は速やかに排水口３６から排出される。【選択図】  図１
2005065920.tif 000002
【特許請求の範囲】
【請求項１】
円筒形に形成された回転ドラムが正面側から背面側に向けて下向き傾斜となるように水槽内に配設されてなるドラム式洗濯機において、
前記水槽の下部に、前記回転ドラムの軸心方向に背面側に向けて深さが段階的に増加するように排水溝が形成され、この排水溝の最深部に開口させて排水口が設けられてなることを特徴とするドラム式洗濯機。
【請求項２】
排水口は、排水溝の最深部で回転ドラムの軸心方向に開口し前記回転ドラムの背面に形成されてなる請求項１に記載のドラム式洗濯機。
【発明の詳細な説明】
【技術分野】
【０００１】
本発明は、正面側から背面側に向けて下向き傾斜した方向に回転自在に支持された回転ドラム内で洗濯、すすぎ、脱水の各工程を行うドラム式洗濯機に関するものである。
【背景技術】
【０００２】
上記ドラム式洗濯機は、水及び空気を通過させる多数の透孔が周面に形成された有底円筒形の回転ドラムを水平方向もしくは水平方向から傾斜した方向にして水槽内に配設し、回転ドラムを回転駆動できるように構成される。前記水槽には、その正面側に扉によって開閉可能に衣類出入口が形成されており、衣類出入口から回転ドラム内に洗濯物を投入して水槽内への注水及び排水、回転ドラムの回転を制御することにより洗濯、すすぎ、脱水の各工程を行うことができる。
【０００３】
このようなドラム式洗濯機として多数の提案がなされており、例えば、特許文献１に示す構成が知られている。
【特許文献１】特開平１０−２１１３９３号公報（第３〜４頁、図１）
【発明の開示】
【発明が解決しようとする課題】
【０００４】
ドラム式洗濯機は回転ドラム内に収容した洗濯物を回転ドラムの回転によりその内周壁に形成された攪拌突起により持ち上げて適当な位置から落下させることによる叩き洗いにより主とする洗濯効果を得るので、従来からの主流である回転ドラムを縦方向に配した洗濯機に比して洗濯物を傷め難い構造ではあるが、回転ドラムを横向きに配しているため洗濯物の出し入れは正面側から行うことになり、腰を屈める作業が伴う苦痛や日本の狭い住宅事情に不適な構造とされてきた。このドラム式洗濯機の課題を解決すべく、回転ドラムの開口する側が上向きとなるように回転軸心を傾斜させることにより、洗濯物の出し入れを容易にして、狭い空間にも配置することができるドラム式洗濯機に構成することができる。
【０００５】
しかし、回転ドラムを水平方向から傾斜させて水槽内に配設したとき、水槽内からの排水は最も低い位置となる背面側下側からなされるが、回転ドラムを回転させながら洗濯後の泡だった泡水を排水するとき、回転する回転ドラムの風圧や遠心力によって泡水が水槽の下向き傾斜面を上向きに上昇して排水不良が生じる問題があった。
【０００６】
本発明が目的とするところは、回転ドラムを水槽内に傾斜配置したとき、排水時に泡水が排水傾斜面を逆流することを抑制する排水構造を備えたドラム式洗濯機を提供することにある。
【課題を解決するための手段】
【０００７】
上記目的を達成するための本発明は、円筒形に形成された回転ドラムが正面側から背面側に向けて下向き傾斜となるように水槽内に配設されてなるドラム式洗濯機において、前記水槽の下部に、前記回転ドラムの軸心方向に背面側に向けて深さが段階的に増加するように排水溝が形成され、この排水溝の最深部に開口させて排水口が設けられてなることを特徴とする。
【０００８】
上記構成によれば、水槽の下部に形成された排水溝は背面側に向けて深さが増加するように段差が形成されているので、回転ドラムを回転させながら洗濯後の泡水を排水しても上がり傾斜の段差により、泡水が回転する回転ドラムの風圧や遠心力により上向きに逆流することが抑えられ、泡水が水槽内に残ってしまう排水不良の発生が防止できる。
【０００９】
上記構成において、排水口は、排水溝の最深部で回転ドラムの軸心方向に開口し前記回転ドラムの背面に形成するのが好適であり、回転ドラムからの風圧の影響を受け難く、排水構成の高さ増加を抑えることができる。
【発明の効果】
【００１０】
本発明によれば、回転ドラムを水槽内に傾斜配置して洗濯物の出し入れを容易にした構成において、洗濯後の泡水の排水に排水不良を発生させないので、ドラム式であっても作業性のよいドラム式洗濯機を提供することができる。
【発明を実施するための最良の形態】
【００１１】
図１は、実施形態に係るドラム式洗濯機１の構成を示すもので、筐体６内に図示しないサスペンション構造によって水槽３が宙吊り状態に配設され、前記水槽３内に有底円筒形に形成された回転ドラム２がその軸心方向を正面側から背面側に向けて下向きに傾斜させて配設されている。前記水槽３の正面側には回転ドラム２の開口端に通じる衣類出入口１１が形成され、筐体６の正面側に形成された上向き傾斜面に設けられた開口部を開閉可能に閉じる扉９を開くことにより、前記衣類出入口１１を通じて回転ドラム２内に対して洗濯物を出し入れすることができる。扉９が上向き傾斜面に設けられているため、洗濯物を出し入れする作業を腰を屈めることなく実施でき、一般には横向きにある開口部から洗濯物を出し入れするドラム式洗濯機の作業性の悪さが改善されている。
【００１２】
前記回転ドラム２には、その周面に水槽３内に通じる多数の透孔８が形成され、内周面の複数位置に攪拌突起４が設けられている。この回転ドラム２は水槽３の背面側に取り付けられたモータ７によって正転及び逆転方向に回転駆動される。また、前記水槽３には、注水管路１２及び排水管路１３が配管接続され、図示しない注水弁および排水弁の制御によって水槽３内への注水及び排水がなされる。
【００１３】
前記扉９を開いて回転ドラム２内に洗濯物及び洗剤を投入してドラム式洗濯乾燥機１の運転を開始させると、水槽３内には注水管路１２から所定量の注水がなされ、モータ７により回転ドラム２が回転駆動されて洗濯工程が開始される。回転ドラム２の回転により、回転ドラム２内に収容された洗濯物は回転ドラム２の内周壁に設けられた攪拌突起４によって回転方向に持ち上げられ、持ち上げられた適当な高さ位置から落下する攪拌動作が繰り返されるので、洗濯物には叩き洗いの作用が及んで洗濯がなされる。所要の洗濯時間の後、汚れた洗濯液は排水管路１３から排出され、回転ドラム２を高速回転させる脱水動作により洗濯物に含まれた洗濯液を脱水し、その後、水槽３内に注水管路１２から注水してすすぎ工程が実施される。このすすぎ工程においても回転ドラム２内に収容された洗濯物は回転ドラム２の回転により攪拌突起４により持ち上げられて落下する攪拌動作が繰り返されてすすぎ洗いが実施される。
【００１４】
上記構成における水槽３の下部には、図２に示すように、回転ドラム２の軸心方向に向けて凹状に形成した排水溝１０が設けられている。この排水溝１０の軸心方向には、図１に示すように、複数の段差を設けて背面側に向けて段階的に溝の深さが増加するように形成されている。また、排水溝１０の形成方向（軸心方向）の端部である最深部の回転ドラム２の背面には、回転ドラム２の軸心方向に開口し、その先が排水管路１３に通じる排水口３６が形成されている。
【００１５】
上記構成のように排水溝１０を形成することにより、洗濯工程の終了後に洗濯水を水槽３内から排水し、回転ドラム２を回転させて洗濯物に含まれている洗濯水を脱水するとき、排水溝１０に排出された洗濯水の泡だった泡水が回転ドラム２の風圧や遠心力により排水溝１０を上昇して排水しにくくなり、回転ドラム２と水槽３の間に洗濯水や泡が充満し、それが抵抗となり脱水不良が発生するといった問題を防止することができる。即ち、排水溝１０に形成された複数の段差は、排水溝１０を逆流しようとする泡水の抵抗となるので、図１の矢印のように、泡水の逆流は抑えられて、泡水は排水溝１０の排水方向にある排水口３６から円滑に排出される。
【００１６】
また、排水口３６は、排水溝１０の最深部で回転ドラム２の軸心方向に開口し回転ドラム２の背面に設けられているので、排水される泡水は回転ドラム２の回転による風圧を受け難く、円滑に排水がなされる。また、水槽３から下方に排水管を設ける構成にならないので、水槽３の下方に突出する部分がなく、ドラム式洗濯機１の高さ増加を抑えることができる。
【産業上の利用可能性】
【００１７】
本発明によれば、洗濯物を正面側から出し入れするドラム式洗濯機の作業性の悪さや日本の住宅環境に適さない課題を解決するために、回転ドラムを水槽内に傾斜配置して洗濯物の出し入れを容易にし、洗濯後の泡水の排水に排水不良を発生させる課題を解決できるので、ドラム式であっても作業性のよいドラム式洗濯機を提供することができる。
【図面の簡単な説明】
【００１８】
【図１】実施形態に係るドラム式洗濯機の要部構成を示す断面図。
【図２】水槽に形成された排水溝の形成位置を示す断面図。
【符号の説明】
【００１９】
１  ドラム式洗濯機
２  回転ドラム
３  水槽
１０  排水溝
１３  排水管路
３６  排水口
【図１】
2005065920.tif 000003
【図２】
2005065920.tif 000004